(57)【特許請求の範囲】
【請求項１】
セット中にロフト角１４°〜３５°の中空なヘッドを有する複数本のウッドクラブを含むゴルフクラブセットに於て、
ロフト角１４°〜３５°の前記ウッドクラブのヘッドのヘッド高さを一定にして、ヘッドの重心高さの変化を少なくし、
ロフト角１４°〜３５°の前記ウッドクラブのヘッドのフェースプログレッションとヘッド幅を一定にして、ロフト角が大きいウッドクラブになるに従いヘッドの重心をヘッドの後方へ移動させると共に、
ロフト角１４°〜３５°の前記ウッドクラブのヘッドの重心アングルを、ロフト角が大きいウッドクラブになるに従い小さくし、且つロフト角１４°〜３５°の前記ヘッドの重心距離を、ロフト角が大きいウッドクラブになるに従い長くしたことを特徴とするゴルフクラブセット。
【発明の詳細な説明】
【技術分野】
【０００１】
本発明はゴルフクラブセットに係り、詳しくはセット中にロフト角１４°〜３５°の中空なヘッドを有する複数本のウッドクラブを含むゴルフクラブセットに関する。
【背景技術】
【０００２】
従来、ゴルフクラブセットには、複数本のウッドクラブからなるウッドセットと、複数本のアイアンクラブからなるアイアンセット、及びこれら両方のセットを合わせたフルセットがある。
【０００３】
また、昨今、ウッドクラブとアイアンクラブの中間的な中空のヘッド形状を備えた所謂ユーティリティゴルフクラブが提案され、このユーティリティゴルフクラブは単品として市販されることは勿論、これらをロフト角等を変えたセットとして、更には、これらをセット内に組み込んだゴルフクラブセットも市販されている。
【０００４】
ところで、従来、この種のゴルフクラブセットの問題点として、ロフト角が大きい高番手のゴルフクラブは、低番手のゴルフクラブに比べフェースプログレッション（シャフト軸線に対するリーディングエッジの突出量）が大きくなりやすい欠点があった。
【０００５】
斯様にフェースプログレッションが大きくなると、アドレス時にリーディングエッジが前方に突き出た状態となるため、違和感があって構え難いという問題がある。また、フェースプログレッションが大きいと、打ち出し角が大きくなって打球が吹き上がり飛距離が伸びない欠点も指摘されている。
【０００６】
そこで、斯かる不具合を解決するため、特許文献１には、低番手から高番手へとフェースプログレッションを小さくしたゴルフクラブセットが開示されている。このゴルフクラブヘッドによれば、従来に比しアドレス時に高番手のゴルフクラブが構えやすくなり、また、高番手のゴルフクラブの打ち出し角を抑制し、ロフト角の効果による番手に適した打ち出し角が得られるため、番手毎の適切な飛距離と弾道が得られる。
【０００７】
また、この種のゴルフクラブセットの更なる問題点として、シャフトの長さが長く、重心アングル（シャフト軸線の垂直線とフェイス面中央のリーディングエッジに接する接線とのなす角度）が小さい低番手のゴルフクラブは、アドレス時に高番手のゴルフクラブに比しヘッド（フェース面）が外方向に開きやすく、打球が右方向へ曲がってしまう（スライス）傾向があった。
【０００８】
そこで、特許文献２には、高番手から低番手へ向かって、重心アングルを徐々に大きくしたゴルフクラブセットが提案されている。而して、この従来例によれば、斯様に重心アングルを変化させることで、打球時に低番手側のフェース面が内方向に閉じやすくなるため、低番手側の打球の方向性のバラツキが減少することとなった。
【０００９】
更に、特許文献３には、例えばロングアイアンを除くアイアンクラブセットに少なくとも１種類以上の異種クラブを加えたゴルフクラブセットに於て、セット内で、重心距離（シャフト軸線からヘッドの重心までの垂線の長さ）の急激な変化をなくして打ちやすいセットとなるように、アイアンクラブセット内の高番手から低番手へと減少する重心距離の延長上に、異種クラブの重心距離を設定したゴルフクラブセットが提案されている。
【００１０】
このように、従来、ゴルフクラブセットに関する様々な提案がなされている。
【先行技術文献】
【特許文献】
【００１１】
【特許文献１】特開２００９−２４７３９９号公報
【特許文献２】特開平５−１７７０１６号公報
【特許文献３】特開２００１−２９９９６７号公報
【発明の概要】
【発明が解決しようとする課題】
【００１２】
特許文献１のゴルフクラブセットのように、番手が下がるに従いフェースプログレッションを小さくすれば、従来に比しアドレス時に高番手側のゴルフクラブが構えやすくなる。
【００１３】
しかし、斯様に番手が下がるに従い、即ち、ロフト角が大きくなるに従いフェースプログレッションを小さくすると、ボールの打点位置が後方へと移動する。
【００１４】
このため、スイングのタイミング（フェースローテーション）を各番手で同じにした場合、高番手側のタイミングでスイングすると、低番手のゴルフクラブでは、タイミングが早くフェースが開いた状態（右に向いた状態）で打球することになり、右に打ち出されたりスライスボールになりやすい。
【００１５】
反対に、低番手側のタイミングでスイングすると、高番手のゴルフクラブほどヘッドターンが早く、図８に示すように高番手のゴルフクラブ１は、フェース面３が閉じた状態（左に向いた状態）でボール５を打球するため、左に打ち出されたりフックボールになりやすい欠点があった。
【００１６】
一方、特許文献２の従来例は、番手が上がるに従い重心アングルを大きく設定して打球の方向性の改善を図っているが、打球方向のバラツキにはフェースプログレッションが大きく関わっている。このため、重心アングルのみを調整しても、フェースプログレッションが重心アングルと反対に小さくなると、打球の方向性がバラツキやすくなることが指摘されている。
【００１７】
更に、特許文献３の従来例の如く、番手が上がるに従い重心距離を短くしても、仮に低番手側のゴルフクラブの重心アングルが大きいと、フェースが閉じた状態（左に向いた状態）でボールを打球しやすく、而も、重心距離が短いためにヘッドが返しやすい（左に向けやすい）ことも相俟って、更にフェースが左を向き、打球方向のバラツキをなくすことが難しいのが実情であった。
【００１８】
このように、従来、ゴルフクラブセットの問題点に対する様々な提案されているが、未だ、この種のゴルフクラブセットに関し、様々な課題が残されている。
【００１９】
本発明は斯かる実情に鑑み案出されたもので、ロフト角１４°〜３５°のウッドクラブ、例えばフェアウェイウッドやユーティリティ等のヘッド幅が５０ｍｍ以上の中空なヘッドを有するウッドクラブをを含むゴルフクラブセットに於て、アベレージゴルファーが方向性を安定させ難いロフト角１４°〜３５°の前記ウッドクラブに着目し、アドレス時に構えやすく、且つロフト角が大きくなることによるフックボールの防止を図ったゴルフクラブセットを提供することを目的とする。
【課題を解決するための手段】
【００２０】
斯かる目的を達成するため、本発明は、セット中にロフト角１４°〜３５°の中空なヘッドを有する複数本のウッドクラブを含むゴルフクラブセットに於て、ロフト角１４°〜３５°の前記ウッドクラブのヘッドのヘッド高さを一定にして、ヘッドの重心高さの変化を少なくし、ロフト角１４°〜３５°の前記ウッドクラブのヘッドのフェースプログレッションとヘッド幅を一定にして、ロフト角が大きいウッドクラブになるに従いヘッドの重心をヘッドの後方へ移動させると共に、ロフト角１４°〜３５°の前記ウッドクラブのヘッドの重心アングルを、ロフト角が大きいウッドクラブになるに従い小さくし、且つロフト角１４°〜３５°の前記ヘッドの重心距離を、ロフト角が大きいウッドクラブになるに従い長くしたことを特徴とする。
【発明の効果】
【００２２】
本発明によれば、セット中のロフト角１４°〜３５°の複数本のウッドクラブのヘッドのヘッド高さを一定にしたことで、ヘッドの重心高さの変化が少なくなってヘッドの重心アングルと重心距離の調整が行いやすくなる。
そして、セット中のロフト角１４°〜３５°の複数本のウッドクラブのフェースプログレッションとヘッド幅を一定にすると共に、ロフト角が大きくなるに従い、ヘッドの重心アングルを小さくし且つヘッドの重心距離を長くしたことの相乗効果で、打球時に高番手側のヘッドのフェース面が左を向いてしまうことがなくなる。
この結果、ヘッドのロフト角が大きくなることによるフックボールの防止が可能となって、高番手のゴルフクラブが打ちやすくなる利点を有する。
また、ヘッドのヘッド幅を略一定にしたことで、幅が広いと水平にスイング（レベルスイング）したり、狭いと上からスイング（ダウンブロー）したりする意識が働くことがなく、同じフィーリングでスイングすることができる利点を有する。
【図面の簡単な説明】
【００２５】
【図１】本発明の一実施形態に係るゴルフクラブセットに含まれる４本のユーティリティゴルフクラブのヘッドの側面図である。
【図２】４本のユーティリティゴルフクラブの重心アングルや重心距離等の数値を示す説明図である。
【図３】ユーティリティゴルフクラブのヘッドの正面図である。
【図４】ユーティリティゴルフクラブのヘッドの側面図である。
【図５】ユーティリティゴルフクラブのヘッドの横断面図である。
【図６】ユーティリティゴルフクラブのヘッドの底面図である。
【図７】４本のユーティリティゴルフクラブのヘッドの底面図である。
【図８】高番手側のゴルフクラブのフェースが閉じた状態での打球時のボールの打球方向を示す説明図である。
【発明を実施するための形態】
【００２６】
以下、本発明の実施形態を図面に基づいて詳細に説明する。
【００２７】
図１(a)、(b)、(c)、(d)は、夫々、図２に示すようにロフト角２１°、２４°、２７°、３０°を有する４本のユーティリティゴルフクラブＵ＃２１、Ｕ＃２４、Ｕ＃２７、Ｕ＃３０のヘッド７、９、１１、１３を示している。
本発明の一実施形態に係るゴルフクラブセットは、複数本のウッドクラブとアイアンクラブ等からなるゴルフクラブセットで、アイアンセットから打ち難い１番〜６番のアイアンクラブを除外して、図１(a)、(b)、(c)、(d)に示す４本のユーティリティゴルフクラブＵ＃２１、Ｕ＃２４、Ｕ＃２７、Ｕ＃３０を組み入れたゴルフクラブセットである。
【００２８】
図３乃至図６は図１(b)のユーティリティゴルフクラブＵ＃２４のヘッド９を示し、以下、ヘッド９の構成を説明するが、その他のヘッド７、１１、１３の構成は当該ヘッド９と略同一の構成であるため、それらの説明は省略する。
【００２９】
図中、１５はフェース部１７やソール部１９、サイド部２１がステンレス合金等で一体に鋳造された中空なヘッド本体で、ヘッド本体１５の上部に形成された図示しない開口部に、別途製造されたクラウン部２３が固着されて中空外殻体構造のヘッド９が形成されている。尚、ヘッド本体のフェース部に開口部を形成し、当該開口部にフェース部材を固着して中空外殻体構造のヘッドを形成してもよい。
【００３０】
また、図５に示すようにヘッド本体１５のヒール部２５側内周に、当該ヒール部２５に沿って上下方向にシャフト止着孔２７が貫通する筒状のシャフト止着部２９が形成されており、図３に示すようにシャフト止着部２９はヘッド本体１５の上方へ突出してホーゼル部３１を形成している。そして、シャフト止着孔２７に、樹脂製のソケット３３を介して繊維強化樹脂製のシャフト３５が、ヘッド本体１５の上方からソール部１９に向かって挿着されている。
【００３１】
図２はユーティリティゴルフクラブＵ＃２１、Ｕ＃２４、Ｕ＃２７、Ｕ＃３０の(1)ライ角（度）、(2)ロフト角（度）、(3)ヘッド容積（ｍｍ3）、(4)ヘッド長さ（ｍｍ）、(5)ヘッド幅（ｍｍ）、(6)ヘッド高さ（ｍｍ）、(7)重心アングル（度）、(8)重心距離（ｍｍ）、(9)重心高さ（ｍｍ）の詳細を示している。
【００３２】
周知のように、
[1]ライ角とは、図３の如くヘッド１５が接する基準水平面Ｒとシャフト軸線Ｓとのなす角度をいい、図２及び図３に示すようにユーティリティゴルフクラブＵ＃２４のライ角αは６１．５°とされている。そして、従来と同様、ユーティリティゴルフクラブＵ＃２１からユーティリティゴルフクラブＵ＃２４、Ｕ＃２７、Ｕ＃３０へと番手が下がるに従い、図２に示すようにライ角αは、６１°、６１．５°、６２°、６２．５°と順次大きく設定されている。
【００３３】
[2]ロフト角とは、図４の如くシャフト軸線Ｓを基準としたフェース面１７ａの上向きの角度をいい、図２及び図４に示すようにユーティリティゴルフクラブＵ＃２４のロフト角βは２４°とされている。そして、従来と同様、ユーティリティゴルフクラブＵ＃２１からユーティリティゴルフクラブＵ＃２４、Ｕ＃２７、Ｕ＃３０へと番手が下がるに従い、図１及び図２に示すようにロフト角βは、２１°、２４°、２７°、３０°と順次大きく設定されている。
【００３４】
このため、図１及び図３に示すように、各ユーティリティゴルフクラブＵ＃２１、Ｕ＃２４、Ｕ＃２７、Ｕ＃３０に於て、ヘッド７、９、１１、１３のリーディングエッジＥの最先端とボール５の打点Ｐとの間の距離Ｑ１、Ｑ２、Ｑ３、Ｑ４は、ロフト角βが大きくなるに従い長く（Ｑ１＜Ｑ２＜Ｑ３＜Ｑ４）なる。
【００３５】
[3]ヘッド容積とはヘッドの容積をいう。ヘッドは大きさを表すのに複雑な形状で計算し難いため、水の体積が１ｃｃ＝１ｍｍ3であることを利用してヘッドの大きさを表している。
【００３６】
図２に示すようにユーティリティゴルフクラブＵ＃２４のヘッド容積は１２２ｍｍ3とされ、従来と同様、ユーティリティゴルフクラブＵ＃２１からユーティリティゴルフクラブＵ＃２４、Ｕ＃２７、Ｕ＃３０へと番手が下がるに従い、図２に示すようにヘッド容積は、１２５ｍｍ3、１２２ｍｍ3、１１９ｍｍ3、１１６ｍｍ3と順次小さく設定されている。
【００３７】
[4]ヘッド長さとは、図３に示すようにヘッド９のトゥ・ヒール方向の長さをいい、図２に示すようにユーティリティゴルフクラブＵ＃２４のヘッド長さＬは９９ｍｍとされている。ヘッドのトゥ・ヒール方向の長さは、ライ角６０°でフェースをスクェアに合わせて設置した状態で、トゥ側の起点をソール面から垂直に０．４７５インチに該当する箇所とし、ヒール側はソール面に垂直な面とぶつかる箇所として測る。
【００３８】
[5]ヘッド幅とは、図４の如くヘッド９のリーディングエッジＥの最先端からヘッド９の最後端までの長さをいい、図２に示すようにユーティリティゴルフクラブＵ＃２４のヘッド幅Ｍは５９．４ｍｍとされている。
【００３９】
[6]ヘッド高さとは、図４の如く基準水平面Ｒからヘッド９の最高点までの高さをいい、図２に示すようにユーティリティゴルフクラブＵ＃２４のヘッド高さＨは３７．４ｍｍとされている。
【００４０】
[7]重心アングルとは、図６の如くシャフト軸線Ｓに対する垂直線Ｓ-1とフェイス面１７ａ中央のリーディングエッジＥに接する接線Ｘとのなす角度をいい、図２に示すようにユーティリティゴルフクラブＵ＃２４の重心アングルγ２は１９°とされている。
【００４１】
[8]重心距離とは、図３の如くヘッド９の重心Ｇとシャフト軸線Ｓを垂直に結んだ垂線の長さをいい、図２に示すようにユーティリティゴルフクラブＵ＃２４の重心距離Ｎは３５ｍｍとされている。
【００４２】
[9]重心高さとは、図４の如く基準水平面Ｒから重心Ｇまでの高さをいい、図２に示すようにユーティリティゴルフクラブＵ＃２４の重心高さＴは１５．５ｍｍとされている。
【００４３】
また、従来周知のように、図４に示すシャフト軸線ＳからリーディングエッジＥまでの突出量をフェースプログレッションＦＰという。そして、図１に示すようにユーティリティゴルフクラブＵ＃２１、Ｕ＃２４、Ｕ＃２７、Ｕ＃３０のフェースプログレッションＦＰは一定となっている。また、ユーティリティゴルフクラブＵ＃２１、Ｕ＃２４、Ｕ＃２７、Ｕ＃３０のクラブ長は、ロフト角βが大きくなるに従い短くなっている。
【００４４】
図５に示すようにユーティリティゴルフクラブＵ＃２４は、ヘッド本体１５のサイド部２１のバッグ側内周に厚肉部３７を設けて、前記重心アングルγ、重心距離Ｎが調整、設定されている。そして、他のユーティリティゴルフクラブＵ＃２１、Ｕ＃２７、Ｕ＃３０は、前記厚肉部３７に代え、または斯かる厚肉部３７と共に、図５の二点鎖線で示す厚肉部３９をヘッド本体１５のサイド部２１のトゥ側内周に設け、更には、前記厚肉部３７、３９に代え、または斯かる厚肉部３７、３９と共に、図５の破線で示す厚肉部４１をサイド部２１のヒール側内周に設けることで、個々に重心アングルや重心距離が調整、設定されている。また、図示しないが、ヘッドの形状を変形させて重心アングルや重心距離の調整、設定も可能である。
【００４５】
そして、本実施形態は、既述した構成に加え、ロフト角が大きくなることによるフックボールの防止を図るため、以下の如き特徴を有している。
【００４６】
先ず、図２に示すように本実施形態は、
(a)総てのユーティリティゴルフクラブＵ＃２１、Ｕ＃２４、Ｕ＃２７、Ｕ＃３０のヘッド７、９、１１、１３のヘッド長さＬ、ヘッド幅Ｍ、ヘッド高さＨを一定にすると共に、図１に示すように、
(b)ユーティリティゴルフクラブＵ＃２１、Ｕ＃２４、Ｕ＃２７、Ｕ＃３０の総てのフェ
ースプログレッションＦＰを同一寸法にしている。
【００４７】
このように、総てのユーティリティゴルフクラブＵ＃２１、Ｕ＃２４、Ｕ＃２７、Ｕ＃３０のヘッド７、９、１１、１３のヘッド長さＬを一定にした理由は、長いほどフェースが開いて打球したり、また、短いとフェースが閉じて打球する等のイメージをなくし、同じフィーリングでスイングすることができるからである。
【００４８】
同様に、総てのヘッド７、９、１１、１３のヘッド幅Ｍを一定にした理由は、幅が広いと水平にスイング（レベルスイング）したり、狭いと上からスイング（ダウンブロー）したりする意識が働くことがなくなり、同じフィーリングでスイングすることができるからである。
【００４９】
そして、総てのヘッド７、９、１１、１３のヘッド高さＨを一定にした理由は、重心高さの変化が少なくでき、重心アングル、重心距離の調整が行いやすいからである。
【００５０】
更に、本実施形態は、前記厚肉部３７、３９、４１をヘッド７、９、１１、１３の内周に適宜設けることで、図２及び図７(a)、(b)、(c)、(d)に示すように、
(c)ユーティリティゴルフクラブＵ＃２１からユーティリティゴルフクラブＵ＃２４、Ｕ＃２７、Ｕ＃３０へとロフト角βが大きくなるに従って、重心アングルγを小さくする（γ１＞γ２＞γ３＞γ４）と共に、
(d)ユーティリティゴルフクラブＵ＃２１からユーティリティゴルフクラブＵ＃２４、Ｕ＃２７、Ｕ＃３０へとロフト角βが大きくなるに従い、重心距離Ｎを長くしたことを特徴としている。
【００５１】
そして、斯様に重心アングルγや重心距離Ｎが変化することで、図２に示すようにユーティリティゴルフクラブＵ＃２１からユーティリティゴルフクラブＵ＃３０へとロフト角βが大きくなるに従い、重心高さＨが高くなっている。
【００５２】
本実施形態はこのように構成されており、図１に示すようにユーティリティゴルフクラブＵ＃２１、Ｕ＃２４、Ｕ＃２７、Ｕ＃３０のフェースプログレッションＦＰは一定であるため、アドレス時にボール５の位置が一定となる。従って、従来に比し番手によるアドレス姿勢の変化が少なく、構えやすくなる。
【００５３】
ところが、図１に示すように、ユーティリティゴルフクラブＵ＃２１からユーティリティゴルフクラブＵ＃２４、Ｕ＃２７、Ｕ＃３０へとロフト角βが大きくなるに従い、ボール５の打点Ｐが後方へ移動し、ヘッド７、９、１１、１３のリーディングエッジＥの最先端と打点Ｐとの間の距離Ｑ１、Ｑ２、Ｑ３、Ｑ４は、ロフト角βが大きくなるほど長くなる。
【００５４】
そして、斯様にロフト角βが大きくなると、重量のあるフェース面１７ａが後方に位置するため、従来では重心が後方へ移動して重心アングルが大きくなり、打球時にフェース面１７ａが左を向いた状態（閉じた状態）で打球してしまう傾向にあった。
【００５５】
しかし、前記(c)で記載したように本実施形態は、ユーティリティゴルフクラブＵ＃２１からユーティリティゴルフクラブＵ＃２４、Ｕ＃２７、Ｕ＃３０へとロフト角βが大きくなるに従い、重心アングルγを小さくし、且つ総てのヘッド７、９、１１、１３のヘッド幅Ｍを一定にした。
【００５６】
従って、本実施形態によれば、ロフト角βがヘッド７からヘッド９、１１、１３へと大きくなるに従い、ヘッドターンがし難くなり、打球時にフェース面１７ａが左を向いた状態になり難くなる。
【００５７】
また、従来、重心距離が短いと、ヘッドターンが早くなってフェース面が閉じた状態でボールを打球しやすくなる。
【００５８】
しかし、前記(d)で記載したように本実施形態は、ユーティリティゴルフクラブＵ＃２１からユーティリティゴルフクラブＵ＃２４、Ｕ＃２７、Ｕ＃３０へとロフト角βが大きくなるに従い、重心距離Ｎを長くしたため、ロフト角βがヘッド７からヘッド９、１１、１３へと大きくなっても、ヘッドターンがし難くなり、打球時にフェース面１７ａが左を向いた状態になり難くなる。
【００５９】
従って、本実施形態によれば、ロフト角βが異なる４本のユーティリティゴルフクラブＵ＃２１、Ｕ＃２４、Ｕ＃２７、Ｕ＃３０に於て、ロフト角βが大きくなるに従い重心アングルγを小さくし、且つヘッド幅Ｍを一定にし、重心距離Ｎを長くしたことの相乗効果によって、ロフト角βが大きくなることによるフックボールの防止が可能となった。
【００６０】
また、前記(a)で記載したように本実施形態は、総てのユーティリティゴルフクラブＵ＃２１、Ｕ＃２４、Ｕ＃２７、Ｕ＃３０のヘッド７、９、１１、１３のヘッド長さＬ、ヘッド幅Ｍ、ヘッド高さＨを略一定としたため、ヘッド７、９、１１、１３が同一形状となって、更に構えやすくなる利点を有する。
【００６１】
而も、斯様に７、９、１１、１３のヘッド長さＬを略一定にしたことで、長いほどフェースが開いて打球したり、また、短いとフェースが閉じて打球する等のイメージをなくし、同じフィーリングでスイングすることができる利点を有し、ヘッド７、９、１１、１３のヘッド幅Ｍを略一定にしたことで、幅が広いと水平にスイング（レベルスイング）したり、狭いと上からスイング（ダウンブロー）したりする意識が働くことがなく、同じフィーリングでスイングすることができる利点を有する。更に、総てのヘッド７、９、１１、１３のヘッド高さＨを略一定としたことで、重心高さの変化が少なくでき、重心アングル、重心距離の調整が行いやすい利点を有する。
【００６４】
また、前記実施形態は、ユーティリティゴルフクラブＵ＃２１、Ｕ＃２４、Ｕ＃２７、Ｕ＃３０のフェースプログレッションＦＰを一定にしたが、フェースプログレッションを、ロフト角が大きいゴルフクラブがロフト角の小さいゴルフクラブのフェースプログレッションを超えない範囲で略一定であればよく、ロフト角が大きくなるに従い、フェースプログレッションを小さくしてもよい。
【００６５】
而して、斯かる本実施形態によっても、前記実施形態と同様、所期の目的を達成することが可能で、ロフト角が大きくなることによるフックボールの防止が可能となる。
【符号の説明】
【００６７】
Ｕ＃２１、Ｕ＃２４、Ｕ＃２７、Ｕ＃３０  ユーティリティゴルフクラブ
５  ボール
７、９、１１、１３  ヘッド
１５  ヘッド本体
１７  フェース部
１７ａ  フェース面
１９  ソール部
２１  サイド部
２３  クラウン部
２５  ヒール部
２７  シャフト止着孔
２９  シャフト止着部
３１  ホーゼル部
３５  シャフト
３７、３９、４１  厚肉部
α  ライ角
β  ロフト角
γ  重心アングル
Ｅ  リーディングエッジ
ＦＰ  フェースプログレッション
Ｈ  ヘッド高さ
Ｌ  ヘッド長さ
Ｍ  ヘッド幅
Ｎ  重心距離
Ｐ  打点
Ｒ  基準水平面
Ｓ  シャフト軸線
Ｓ-1  垂直線
Ｔ  重心高さ
Ｘ  接線
【図１】
0005627358.tif 000002
【図２】
0005627358.tif 000003
【図３】
0005627358.tif 000004
【図４】
0005627358.tif 000005
【図５】
0005627358.tif 000006
【図６】
0005627358.tif 000007
【図７】
0005627358.tif 000008
【図８】
0005627358.tif 000009